(57)【特許請求の範囲】
【請求項１】
容器と蓋とからなり、前記容器の開口周縁部内側に前記蓋がスナップ係合する蓋付き容器において、
前記容器は、前記蓋よりも可撓性の高い軟質弾性材料で形成され、水平面内にあって互いに直交する第１長軸と第１短軸とを有し、これら両軸のそれぞれに関しほぼ対称に形成されたおおむね長円形を呈するものであり、前記開口周縁部は、前記第１長軸方向において互いに向かい合って弧を画く第１末端部分と、前記第１末端部分間に延びて前記第１長軸を挟んで互いに並行する第１中間部分とを有し、前記第１末端部分の内側には前記開口の内方へ向かって水平方向に突出し前記周縁部に沿って延びる内側リブが形成され、前記内側リブは前記容器の上下方向の断面形状において前記水平方向に突出する先端部を起点として前記容器の内側から外側へ向かって互いに拡開するように傾斜を付けられた上面と下面とを有し、前記第１中間部分は、その内側が平滑に形成されていて前記第１長軸方向と上下方向へ延び、前記第１長軸を挟んで互いに向かい合う内側どうしの間に前記蓋が収まる幅を有し、
前記蓋は、前記容器よりも可撓性の低い硬質弾性材料で形成され、水平面内において互いに直交する第２長軸と第２端軸とを有し、おおむね前記容器と同じ長円形を呈するもので、前記第２長軸方向において互いに向かい合って弧を画く第２末端部分と、前記第２末端部分間に延びて前記第２長軸を挟んで互いに並行する第２中間部分とを有し、これら第２末端部分と第２中間部分とは、これらの外周面に前記容器の開口周縁部頂縁に上方から接近する外側リブを有するとともに、前記外側リブの下方に前記容器の開口周縁部内側に上方から収まる下方周縁部を有し、前記第２末端部分における前記下方周縁部の外面が前記蓋の上方から下方へ向かうにつれて前記蓋の外方へ広がるように傾斜をつけられていて、その傾斜をつけられた前記下方周縁部の下端近傍が前記蓋を前記容器に重ねた状態において前記容器の内側リブの上面に当接する位置にあり、前記第２中間部分における前記下方周縁部の外面が前記容器の第１中間部分の内側に倣うように平滑に形成されていることを特徴とする前記蓋付き容器。
【請求項２】
前記容器と蓋とがスナップ係合した状態において、前記蓋の前記第２末端部分にある前記外側リブは前記容器の第１末端部分の上方に位置し、前記第２中間部分にある前記外側リブは前記第２末端部分の近傍において前記容器の内側リブとほぼ同一水平面内にあって、前記容器開口の周り方向でほぼ連続した一条の線を形成している請求項１記載の蓋付き容器。
【発明の詳細な説明】
【０００１】
【発明の属する技術分野】
この発明は、長円形の平面形状を呈する開閉が容易な蓋付き容器に関する。
【０００２】
【従来の技術】
特開昭６０−９０１４５号公報に開示のボール蓋は、ボールに対してスナップ係合してそのボールを密封状態に保つことができる。円形を呈する蓋の周縁には蓋の外方へ突出する摘みが形成されており、係合した蓋を開けるときには、一方の手でその摘みを持ち、もう一方の手でボールを持つ。
【０００３】
【発明が解決しようとする課題】
前記公知の蓋を使用したボールでは、蓋の周縁から突出する摘みがボールを扱うときの邪魔になることがある。例えば、そのボールを冷蔵庫に納めようとするときに、蓋の摘みが庫内の壁やその他のものに触れてうまく納めることができないということや、たとえ納めることができてもその摘みの分だけ庫内で多くのスペースを占めるとするということがある。
【０００４】
この発明は、容器にスナップ係合した蓋を開けるためにそうした摘みを必要としない蓋付き容器の提供を課題にしている。
【０００５】
【課題を解決するための手段】
前記課題を解決するために、この発明が対象とするのは、容器と蓋とからなり、前記容器の開口周縁部内側に前記蓋がスナップ係合する蓋付き容器である。
【０００６】
かかる蓋付き容器において、この発明が特徴とするところは、次のとおりである。前記容器は、前記蓋よりも可撓性の高い軟質弾性材料で形成され、水平面内にあって互いに直交する第１長軸と第１短軸とを有し、これら両軸のそれぞれに関してほぼ対称に形成されたおおむね長円形を呈するものであり、前記開口周縁部は、前記第１長軸方向において互いに向かい合って弧を画く第１末端部分と、前記第１末端部分間に延びて前記第１長軸を挟んで互いに並行する第１中間部分とを有し、前記第１末端部分の内側には前記開口の内方へ向かって水平方向に突出し前記周縁部に沿って延びる内側リブが形成され、前記内側リブは、前記容器の上下方向の断面形状において前記水平方向に突出する先端部を起点として前記容器の内側から外側へ向かって互いに拡開するように傾斜を付けられた上面と下面とを有し、前記第１中間部分は、その内側が平滑に形成されていて前記第１長軸方向と上下方向へ延び、前記第１長軸を挟んで互いに向かい合う内側どうしの間に前記蓋が収まる幅を有する。前記蓋は、前記容器よりも可撓性の低い硬質弾性材料で形成され、水平面内において互いに直交する第２長軸と第２端軸とを有し、おおむね前記容器と同じ長円形を呈するもので、前記第２長軸方向において互いに向かい合って弧を画く第２末端部分と、前記第２末端部分間に延びて前記第２長軸を挟んで互いに並行する第２中間部分とを有し、これら第２末端部分と第２中間部分とは、これらの外周面に前記容器の開口周縁部頂縁に上方から接近する外側リブを有するとともに、前記外側リブの下方に前記容器の開口周縁部内側に上方から収まる下方周縁部を有し、前記第２末端部分における前記下方周縁部の外面が前記蓋の上方から下方へ向かうにつれて前記蓋の外方へ広がるように傾斜をつけられていて、その傾斜をつけられた前記下方周縁部の下端近傍が前記蓋を前記容器に重ねた状態において前記容器の内側リブの上面に当接する位置にあり、前記第２中間部分における前記下方周縁部の外面が前記容器の第１中間部内側に倣うように平滑に形成されている。
【０００７】
【発明の実施の形態】
この発明に係る蓋付き容器としてメガネケースを例にとり、その詳細を説明すると以下のとおりである。
【０００８】
図１，２は、蓋３が容器２に対しスナップ係合して閉じた状態にあるメガネケース１の斜視図と、蓋が開いた状態にあるメガネケース１の斜視図である。かかるメガネケース１は、これに例えば水中メガネを入れて陳列棚等に吊り下げておくことができるように形成されているもので、ほぼ長円形に形成された容器２と、容器２とほぼ同じように長円形に作られた蓋３とを有する。容器２と蓋３とは、それぞれ水平面内において互いに直交し、メガネケース１の幅と長さとを二等分する長軸６と短軸７とを有する。容器２は、長軸６方向ヘ延びるフック５を有し、このフック５を除くと、容器２と蓋３とは長軸６と短軸７とのそれぞれに関して対称に形成されている。この意味において、容器２と蓋３とは、長軸６と短軸７とに関して実質的に対称である。フック５は、蓋付き容器１を吊り下げるために使用するものであるから、吊り下げる必要がないときには省くことができる。
【０００９】
容器２は、底部８と開口９とを有し、開口９の周縁部１１が長軸６方向において弧を画いて互いに向かい合う第１末端部分１２と、これら第１末端部分１２の間に延びて長軸６を挟んで互いに並行する第１中間部分１３とを有する。第１末端部分１２では周縁部１１の頂縁１４が平坦に形成されている。第１中間部分１３では、図の上下方向において第１末端部分１２の近傍で周縁部１１の頂縁１４が下向きに湾曲する第１部位１６と、第１部位１６と１６との間にあって上向きに湾曲する第２部位１７とを有する。周縁部１１の内側には溝１５が形成されている。かかる容器２は、蓋３よりも可撓性の高い軟質弾性材料、例えば低密度ポリエチレンやポリプロピレン、ナイロン等で形成される。
【００１０】
蓋３は、頂部１８と周壁部２１とを有し、周壁部２１が長軸６方向において弧を画いて互いに向かい合う第２末端部分２２と、これら第２末端部分２２の間に延びて長軸６を挟んで互いに並行する第２中間部分２３とを有する。蓋３の周壁部２１の外面には、蓋３を周回する外側リブ２４が形成されている。外側リブ２４は、容器２の頂縁１４に倣う曲線を画いて延びており、第２末端部分２２では部分４１が平坦に、第２中間部分２３のうちで第２末端部分２２につながるところでは部分４３が緩やかな傾斜を持ちながら、容器２の第１部位１６の直上では部分２５が下向きに凸となり、また部分２５と２５との間では部分４０が急な傾斜で上向きに凸となるように延びている。図の上下方向において外側リブ２４の下には下方周縁部２６が形成されている。蓋３が容器２に対して閉じた状態にあるときに、下方周縁部２６が容器２の溝１５に納まり、外側リブ２４が容器２の頂縁１４に当接するかまたはわずかに上方へ離間している。かかる蓋３は、容器２よりも可撓性の低い硬質弾性材料、例えばブタジエンとスチレンとの共重合樹脂、ＡＢＳ樹脂、ポリカーボネート樹脂等によって形成される。
【００１１】
図３〜５は、容器２と蓋３とがスナップ係合した状態を示す図１の断面図である。
【００１２】
図３は、図１において容器２の第１末端部分１２のうちの一方を横切るＩＩＩ−ＩＩＩ線に沿った断面を示す。容器２の周縁部１１は、その内側に水平方向において容器２の内方ヘ突出する内側リブ３１を有する。内側リブ３１は、突出した先端３２を起点として、容器２の内方から外方へ向かって次第に拡開するように傾斜を付けられた上面３３と下面３４とを有し、上面３３が頂縁１４にまで延び、下面３４が溝１５の底面３５にまで延びている。蓋３は、外側リブ２４が容器２の頂縁１４に当接した状態で示されている。蓋３の下方周縁部２６は、その全体または少なくともその外面３９に図の上方から下方へ向かうにつれて蓋３の外方へ広がるような傾斜がつけられており、蓋３が閉じた状態では、外面３９が内側リブ３１にスナップ係合してその下面３４に密着する。
【００１３】
図４は、図１において容器２の第１部位１６を横切るＩＶ−ＩＶ線に沿った断面を示す。容器２の第１部位１６には内側リブ３１が形成されておらず、かかる第１部位１６を形成している周縁部１１の内外面３６，３７は、ほぼ垂直かつ平滑に形成されている。蓋３の下方周縁部２６の内外面３８，３９もほぼ垂直に形成され、その外面３９は、周縁部１１の内面３６に密着している。
【００１４】
図５は、図１において容器２を第１部位１６と１６との間で横切るＶ−Ｖ線に沿った断面を示す。周縁部１１は、内側リブ３１が形成されておらず、ほぼ垂直で丈が高く、平滑な面を有している。蓋３の下方周縁部２６もまたほぼ垂直で丈が高く、その外面３９が容器２の内面３６に密着している。
【００１５】
図６〜８は、蓋３を閉じる前に蓋３を容器２に重ねたときの容器２と蓋３との部分断面図であって、これら容器２と蓋３との断面の位置は図３〜５の位置と同じである。
【００１６】
図６において、蓋３の下方周縁部２６はその下端４１の近傍が容器２における内側リブ３１の上面３３に上方から当接している。この状態にある蓋３を仮想線の如く下降させると、可撓性が低く変形しにくい下方周縁部２６で押圧された可撓性が高く変形しやすい容器２の周縁部１１が仮想線の如く外方へ弾性的に変形し、蓋３の下方周縁部２６が溝１５に納まるとともに、周縁部１１が弾性的に元の状態に復帰して、容器２と蓋３とがスナップ係合した図３の状態になる。かかる状態では、容器２の内側リブ３１の下面３４と蓋３の下方周縁部２６の外面３９とが密着し、蓋３は容易に外れることがない。
【００１７】
図７，８において、容器２の周壁部１１はほぼ垂直に、またはやや内側に傾いて上方へ延びている。蓋３の下方周縁部２６の外面３９は、図７の如く周壁部１１の斜め上方に位置しているか、図８の如く周壁部１１の上方部分に隣接している。これら図７，８における周壁部１１と下方周縁部２６との位置関係の相違は、両部１１，２６の丈の高さの相違によって生じる。蓋３を仮想線の如く下降させたときには、周縁部１１の内面３６と下方周縁部２６の外面３９とが接しながら、または周縁部１１を外方へ向かって僅かに変形させながら下方周縁部２６が溝１５に納まり、図４，５の状態となる。
【００１８】
図９は、蓋付き容器１の部分側面図であって、内側リブ３１が鎖線で示されている。図９と同じ状態にある蓋３が閉じた図１の蓋付き容器１では、容器２の第１部位１６とその直上に位置する蓋３の外側リブ２４とに指を当てて長軸６の両側から矢印４３，４４方向へ、つまり蓋付き容器１の幅を狭くするように力を加えると、力を加えた第１部位１６につながる容器２の第１末端部分１２とその第１部位１６に係合している蓋３の第２末端部分２２とが仮想線の如く長軸６方向ヘ長くなるように、かつ第１末端部分１２がやや下を向き、第２末端部分２２がやや上を向くように弾性的に変形する。これらの変形によって、容器２の内側リブ３１と蓋３の下方周縁部分２６との係合が解け、蓋３を開けることができる。容器２と蓋３とが閉じた状態にあるときには、容器２の内側リブ３１と蓋３の外側リブ２４の部分２５とがほぼ同一水平面内にあって、容器２の開口９の周り方向においてほぼ連続した一条の線を形成している。また、硬質材料からなる剛性の高い蓋３の外側リブ２４では、蓋３の第２末端部分２２に位置する外側リブ２４の部分４１と容器２の第１部位１６の直上に位置する部分２５との間が緩やかな傾斜を持つ部分４３を介してつながり、外側リブ２４はほぼ直線的に延びた状態にある。外側リブ２４がその部分２５で押圧されると、その変形が外側リブ２４を介して伝わり図９の仮想線の如き第２末端部分２２の変形となって現われる。一方の軟質材料からなる容器２も第１末端部分１２を形成する周縁部１１の剛性が内側リブ１２の存在によって高くなり、第１部位１６を押圧されたときの変形が内側リブ１２を介して伝わり仮想線の如き第１末端部分１２の変形となって現われる。しかも、蓋３は、容器２の全周のうちで第１末端部分１２においてのみスナップ係合しているから、第１、２末端部分１２，２２が互いに上下逆方向へ僅かに変形するだけで容器２から簡単に外れる。それゆえ、この容器２や蓋３では、蓋３を開けるための摘みを必要としない。このように蓋３が開くから、図１，２において容器２に設けられているフック５は、蓋付き容器２を吊り下げる必要がなければ省くことができる。
【００１９】
【発明の効果】
この発明に係る蓋付き容器は、その大きさにもよるが、容器と蓋とを上下方向から押圧すれば蓋を閉じることができ、蓋が閉じた容器はこれらを幅方向内方ヘ押圧すれば蓋を開けることができる。それゆえ、この発明では、蓋を開けるための摘みとなる突起を容器や蓋に設ける必要がない。
【図面の簡単な説明】
【図１】蓋付き容器の斜視図。
【図２】蓋を開けた状態の図１と同様の図面。
【図３】図１のＩＩＩ−ＩＩＩ線断面図。
【図４】図１のＩＶ−ＩＶ線断面図。
【図５】図１のＶ−Ｖ線断面図。
【図６】容器とその直上に位置する蓋とを示す図３と同様の図面。
【図７】容器とその直上に位置する蓋とを示す図４と同様の図面。
【図８】容器とその直上に位置する蓋とを示す図５と同様の図面。
【図９】蓋付き容器の側面図。
【符号の説明】
１      蓋付き容器（メガネケース）
２      容器
３      蓋
６      長軸
７      短軸
１１      開口周縁部
１２      第１末端部分
１３      第１中間部分
１４      頂縁
２２      第２末端部分
２３      第２中間部分
２４      外側リブ
２６      下方周縁部
３１      内側リブ
３２      先端
３３      上面
３４      下面
３９      外面
４１      下端
【図１】
0003588587.tif 000002
【図２】
0003588587.tif 000003
【図３】
0003588587.tif 000004
【図４】
0003588587.tif 000005
【図５】
0003588587.tif 000006
【図６】
0003588587.tif 000007
【図７】
0003588587.tif 000008
【図８】
0003588587.tif 000009
【図９】
0003588587.tif 000010